(57)【特許請求の範囲】
【請求項１】
ケース前面に音声やガイド音を放音する放音部を設けて、ケース内にスピーカを配置したインターホン機器の水抜き構造であって、
前記放音部は、ケース前面に前記スピーカに合わせて形成した開口部を有し、前記開口部前面を前記スピーカから発せられる音を前方に放音させるための縦長の放音孔を備えたプレートで閉塞して構成され、
前記プレートは前記ケース前面に密着配置されると共に、前記開口部は防水フィルムが張設されて閉塞され、
当該防水フィルムと前記プレートとの間は、前記スピーカから発せられた音により前記防水フィルムが振動するよう隙間が設けられる一方、
前記放音孔の下部は前記開口部の下端を越える長さを備えて前記ケース前面との重なり部を有し、
前記放音孔から浸入して前記プレートと前記防水フィルムの間に滞留した水が一定の量に達したら、自重により前記放音孔の下部重なり部から前方に流出可能としたことを特徴とするインターホン機器の水抜き構造。
【請求項２】
前記放音孔の左右壁面同士は、一定の間隔で設けた連結片により連結されてなり、
前記連結片の前後方向の厚みは、前記プレートの２分の１以下の厚みで形成されると共に、前記プレートの背面に面一になるよう形成されて成ることを特徴とする請求項１記載のインターホン機器の水抜き構造。
【発明の詳細な説明】
【技術分野】
【０００１】
本発明は、来訪者が居住者を呼び出すために屋外に設置されたインターホン子機等の雨水にさらされる可能性のあるインターホン機器の水抜き構造に関する。
【背景技術】
【０００２】
来訪者が居住者を呼び出すために屋外に設置されるインターホン子機においては、スピーカやマイクを内蔵したケースには、スピーカの発する拡声音を放音するための放音孔や、マイクが来訪者の音声を集音するための集音孔が設けられている。これらの孔は、表面張力により孔が塞がれないように、また入り込んだ雨水が確実に外部へ流れ出るように工夫が成されている。例えば、集音孔に関しては、縦長に形成した孔の下端に水抜き溝を設けたものがある（例えば、特許文献１参照）。
【０００３】
一方、スピーカの放音のために形成された放音孔は、マイク孔に比べて大きく且つ複数形成されるため、例えば特許文献２に記載されているようにケース内側に排水溝を設けて水が溜まるのを防ぎ、ケース下端から流れ出るように構成したものがある。
また放音孔の場合は、水で塞がれるとハウリングが生じたり、適切な音質を確保できないことがあるため、表面張力が働き難いよう個々の孔を大きく形成することで水が溜まらないようにしたり、孔を多数設けることで放音孔全体が塞がれないようにしていた。
【先行技術文献】
【特許文献】
【０００４】
【特許文献１】特開２００９−１４７７３７号公報
【特許文献２】特開２００９−２１２５８３号公報
【発明の概要】
【発明が解決しようとする課題】
【０００５】
しかしながら、上述したように従来の放音孔は、個々の孔を大きく形成したり、多数の孔により構成したため、インターホン機器のデザイン性が低下していた。また、浸入した水はケース内側を伝って下端から流れ出る構造となっているため、そのための流路空間を確保しなければならず、ケースの構造においても制約があり、デザイン性の低下に繋がるものであった。
【０００６】
そこで、本発明はこのような問題点に鑑み、デザイン性向上のためにスピーカ放音孔の面積を小さくしても、浸入した雨水等を排出させることができ、しかもケース内に水の流路を設ける必要のないインターホン機器の水抜き構造を提供することを目的としている。
【課題を解決するための手段】
【０００７】
上記課題を解決する為に、請求項１の発明は、ケース前面に音声やガイド音を放音する放音部を設けて、ケース内にスピーカを配置したインターホン機器の水抜き構造であって、放音部は、ケース前面にスピーカに合わせて形成した開口部を有し、開口部前面をスピーカから発せられる音を前方に放音させるための縦長の放音孔を備えたプレートで閉塞して構成され、プレートはケース前面に密着配置されると共に、開口部は防水フィルムが張設されて閉塞され、防水フィルムとプレートとの間は、スピーカから発せられた音により防水フィルムが振動するよう隙間が設けられる一方、放音孔の下部は開口部の下端を越える長さを備えてケース前面との重なり部を有し、放音孔から浸入してプレートと防水フィルムの間に滞留した水が一定の量に達したら、自重により放音孔の下部重なり部から前方に流出可能としたことを特徴とする。
この構成によれば、放音孔から雨水が浸入しても、ケース開口部は防水フィルムで閉塞されているためスピーカが濡れることがなく、浸入した水がインターホン機器に悪影響を及ぼすことがない。そして、プレートと防水フィルムの間に溜まった水は、自重により表面張力に抗して放音孔の下部から外部へ流出するため、別途流路や水抜き孔をケースに設ける必要もない。
よって、放音孔の面積を小さくスリット状に細く形成しても水で塞がるような事態を防ぐことができ、放音孔によりインターホン機器デザインの自由度を広げることができる。
【０００８】
請求項２の発明は、請求項１に記載の構成において、放音孔の左右壁面同士は、一定の間隔で設けた連結片により連結されてなり、連結片の前後方向の厚みは、プレートの２分の１以下の厚みで形成されると共に、プレートの背面に面一になるよう形成されて成ることを特徴とする。
この構成によれば、連結片を設けて放音孔形成部のプレート強度を上げても、連結片の厚みはプレートの略２分の１或いはそれ以下であるし、プレート前面から奥まった部位に形成されるため、表面張力の作用を受け難く、放音孔が塞がれるような事態を防止でき、プレートと防水フィルムの間に溜まった水が、自重により下部放音孔下部から外部に流出させる動作を妨げない。
また、放音を良好に実施するために放音孔をスピーカの径に合わせて長く形成しても、連結片により放音孔は複数に分割されているため異物が入るのを防止でき、スピーカを破損するような事態を防止できる。
【発明の効果】
【０００９】
本発明によれば、プレートと防水フィルムの間に溜まった水は、自重により表面張力に抗して放音孔の下部から外部へ流出するため、別途水抜き孔を設ける必要がない。よって、放音孔の面積を小さくスリット状に細く形成しても、水で塞がるような事態を防ぐことができ、放音孔によりインターホン機器デザインの自由度を広げることができる。
【図面の簡単な説明】
【００１０】
【図１】本発明の水抜き構造を採用したインターホン機器の１つである集合玄関機の正面図である。
【図２】Ａ−Ａ線断面説明図である。
【図３】プレートを分離した状態を示し、（ａ）はプレート単体の正面図、（ｂ）はプレートを外した状態の集合玄関機の正面図である。
【図４】Ｂ部拡大説明図であり、プレート背部のケース前面を合わせて示している。
【図５】Ｃ部拡大図で放音部の構成を示している。
【図６】放音孔に水が侵入した様子を示す説明図であり、（ａ）は放音孔を正面からみた図、（ｂ）は図２の一部を拡大した図である。
【発明を実施するための形態】
【００１１】
以下、本発明を具体化した実施の形態を、図面を参照して詳細に説明する。図１，図２は本発明に係る水抜き構造を採用したインターホン機器の１つである集合玄関機を示し、図１は正面図、図２はＡ−Ａ線断面説明図を示している。双方の図において、１は集合玄関機のケース、２はケース１に収納されているマイク（図示せず）が来訪者の音声を集音するための集音孔、３はケース１に収納されているスピーカ１１が拡声する音声を放音するための放音孔、４は来訪者を撮像するためのカメラ部、５は操作案内表示等をおこなうモニタ、６は来訪者が訪問先の部屋番号を入力するためのテンキー等を備えた操作部、７は図示しないオートドアの電気錠を解錠するためのキー操作部、８はモニタ５の前面を覆うプレートである。
【００１２】
図３はプレート８の説明図であり、（ａ）はプレート８単体の正面図、（ｂ）はプレート８を取り外した集合玄関機の正面図である。プレート８は合成樹脂で形成され、集音孔２及び放音孔３を備えるのに加え、透明のカメラ窓８ａ及びモニタ窓８ｂが形成され、それ以外は不透明に形成されている。不透明とすることで、スピーカ１１やカメラ周りを隠し、意匠性を高めている。
尚、図３（ｂ）に示すように、ケース１の放音部にはスピーカ１１が設けられ、ケース１にはスピーカ１１の径に合わせて円形の開口部１１ａが形成されている。また、カメラ部４にはカメラ１２が設けられ、１３はプレート８を接着する接着枠を示している。
【００１３】
図４はＢ部拡大図、図５は図２のＣ部拡大図であり、放音部の構成を示している。尚、図４はケース１の構成も合わせて示している。
図４に示すように、放音孔３は縦長のスリット状に形成され、全体の長さＬはスピーカ１１の径Ｌ１を越える長さを有している。放音孔３の内部は、連結片１５が等間隔で複数設けられ、左右壁面が連結されている。この連結片１５は、図５に示すようにプレート８の背面とは面一に形成され、プレート前面に対して１段奥まった部位に形成されている。放音孔３の厚み（奥行き）に対して略２分の１と薄く形成されている。
また、図５に示すように、スピーカ１１はスピーカ１１を放音孔３から浸入する雨水から保護するための防水フィルム１６で前面が覆われ、リング状のゴム製パッキン１７を介してケース１所定部位の背面に密着するよう取り付けられている。パッキン１７とケース１の厚みにより、プレート８と防水フィルム１６との間には一定の隙間が形成され、スピーカ１１から発せられた音により防水フィルム１６が振動して、防水フィルム１６を介して前方に拡声音が放音されるよう構成されている。
【００１４】
この放音部の水抜き構造を説明すると、まず放音孔３は、図４に示すようにスピーカ１１の径Ｌ１を越えた長さを有し、下部がケース前面に長さＬ２に亘り重なっている。具体的な数値を示すと、例えば、Ｌ１＝４６ｍｍ、Ｌ２＝１０ｍｍ、放音孔３の幅Ｔ＝１．２ｍｍ、プレート８の厚みＤ＝２ｍｍ、連結片１５の厚み＝１ｍｍ（Ｄ／２）で形成されている。
【００１５】
図６は、こうして形成された放音孔３に水が入り込んだ様子を示し、（ａ）は正面説明図、（ｂ）は縦断面説明図である。入り込んだ水Ｗをハッチングで示している。図６に示すように、水が放音孔３から浸入するとスピーカ１１の前面を覆っている防水フィルム１６とプレート８の間に溜まる。放音孔３は比較的小さいため、表面張力により一定水位までは水が流れ出ることなく滞留する。
尚、溜まった水はパッキン１７の作用により、スピーカ１１の周囲からケース１内に入り込むことがない。
【００１６】
そして、一定水位を超えると、表面張力と水の重さとのバランスが崩れ、水が放音孔３の最下部から流れ出る。これは、放音孔３の下部を開口部１１ａを越える部位まで形成することで、放音孔３の下部は背部がケース１に接した形となるため、上部の背部に空間を備えた部位に比べて表面張力が小さくなるためで、一定水位以上に水が溜まると図６に示すように放音孔３の下端から前方に流れ出ることになる。こうして、いったん水が排出され始めると、それにひっぱられるように全ての水が流れ出る。
【００１７】
このように、放音孔３から雨水が浸入しても、ケース１のスピーカ１１が組み付けられた開口部１１ａは防水フィルム１６で閉塞されているため、スピーカ１１が濡れることがなく、浸入した水がインターホン機器に悪影響を及ぼすことがない。そして、プレート８と防水フィルム１６の間に溜まった水は、自重により表面張力に抗して放音孔３の下部から外部へ流出されるため、別途流路や水抜き孔を設ける必要もない。
よって、放音孔３の面積を小さくスリット状に細く形成しても、全体が水で塞がるような事態を防ぐことができ、放音孔３によりインターホン機器デザインの自由度を広げることができる。尚、放音孔３は、１本のスリットだけでもスピーカ１１の径と同程度の長さとすることで良好に放音できる。
また、連結片１５を設けて放音孔３形成部のプレート８の強度を上げても、連結片１５は厚みがプレート８の略２分の１であるし、プレート８前面から奥まった部位に形成されるため、表面張力の作用で放音孔３全体が塞がれるような事態を防止でき、プレート８と防水フィルム１６の間に溜まった水が、自重により放音孔３の下部から外部に流出させる動作を妨げない。
更に、放音を良好に実施するために放音孔３をスピーカ１１の径に合わせて長く形成しても、連結片１５により放音孔３は複数に分割されているため、異物が入るのを防止できスピーカ１１を破損するような事態を防止できる。
【００１８】
尚、上記実施形態は集合玄関機の水抜き構造を説明したが、戸建住宅において屋外に設置される玄関子機においてもこの水抜き構造は良好に適用できるし、水が掛かりやすい環境に設置されるような居室親機に対しても適用できるものである。
また、連結片１５の厚みをプレート８の厚みの２分の１としているが、薄ければ薄いほど表面張力を削減でき好ましい。
【符号の説明】
【００１９】
１・・ケース、３・・放音孔、８・・プレート、１１・・スピーカ、１１ａ・・開口部、１５・・連結片、１６・・防水フィルム。
【図１】
0005713854.tif 000002
【図２】
0005713854.tif 000003
【図３】
0005713854.tif 000004
【図４】
0005713854.tif 000005
【図５】
0005713854.tif 000006
【図６】
0005713854.tif 000007